(57)【要約】【課題】  簡単な構造で植物を容易に栽培することができる、植物栽培箱体を提供する。【解決手段】  植物栽培箱体７は、用土２が入れられる容器３と、水収容部４ａを有する箱４と、水収容部４ａの水５を容器３内の底面部分に供給する水供給手段６とを備える。ここで、容器３の底壁３ａが、箱４の底壁４ｂから離れた上方に位置して、両底壁３ａ、４ｂ間に、前記水収容部４ａが形成される。そして、水供給手段６は、容器３の底壁３ａの上に敷かれる吸水性を備えた保水シート９と、水収容部４ａと保水シート９とに跨って水収容部４ａの水５を保水シート９に導く吸水性を備えた導水材１０とからなる。これにより、水収容部４ａの水５は、導水材１０を通って容器３内の保水シート９に導かれて、その保水シート９上を拡散する。【選択図】  図１
2010158224.tif 000002
【特許請求の範囲】
【請求項１】
植物を栽培すべく、用土が入れられる容器と、
上方が開放して、前記容器を出し入れ可能に収容かつ支持し、前記容器との間に水が溜められる水収容部を有する箱と、
前記水収容部の水を前記容器内の底面部分に供給する水供給手段とを備え、
前記容器の底壁は、前記箱の底壁から離れた上方に位置して、前記両底壁間に、前記水収容部が形成され、
前記水供給手段は、前記容器の底壁の上に敷かれる吸水性を備えた保水シートと、前記水収容部と前記保水シートとに跨って前記水収容部の水を前記保水シートに導く吸水性を備えた導水材とからなる、植物栽培箱体。
【請求項２】
前記保水シートと前記導水材とは別部品からなる、請求項１に記載の植物栽培箱体。
【請求項３】
前記容器の底壁には、前記導水材が挿通可能な通孔が複数設けられ、
前記導水材は、前記複数の通孔のうちの一つまたは二つ以上の選択された通孔に対応して設けられて、その選択された通孔を通って、前記水収容部と前記保水シートとを繋いでいる、請求項２に記載の植物栽培箱体。
【請求項４】
前記容器の底壁には、前記導水材が挿通可能な通孔が設けられ、
前記導水材は、折り返されて、その折返し部分が前記水収容部に配置され、その折返し部分から延びる両中間部分が前記通孔を通るとともに前記保水シートを貫通し、両先端部分が前記保水シート上を互いに離れる方向に延びて配置されている、請求項２に記載の植物栽培箱体。
【請求項５】
前記保水シートは、前記容器の底壁の全体に渡って敷かれている、請求項１ないし４のいずれか１項に記載の植物栽培箱体。
【請求項６】
前記箱は、前記水収容部の水の高さが、前記容器の底壁、あるいはその容器内の底面に達しない高さとなるように水位を調節する、水位調節手段を備えてなる、請求項１ないし５のいずれか１項に記載の植物栽培箱体。
【請求項７】
前記容器は、複数設けられ、それら複数の容器が、前記箱に横に並ぶように入れられる、請求項１ないし６のいずれか１項に記載の植物栽培箱体。
【請求項８】
前記箱には、前記容器を位置決めする位置決め部が設けられている、請求項７に記載の植物栽培箱体。
【請求項９】
請求項１ないし８のいずれか１項に記載の植物栽培箱体と、前記容器に入れられた用土と、その用土に植えられた植物とからなる、植物栽培セット。
【請求項１０】
上方が開口した箱に出し入れ可能に収容される植物栽培容器であって、
植物を栽培すべく、用土が入れられる容器と、
前記箱における前記容器との間の、水が溜められる水収容部の水を、前記容器内の底面部分に供給する水供給手段とからなり、
前記水供給手段は、前記容器の底壁の上に敷かれる吸水性を備えた保水シートと、前記水収容部と前記保水シートとに跨って前記水収容部の水を前記保水シートに導く吸水性を備えた導水材とからなる、植物栽培容器。
【発明の詳細な説明】
【技術分野】
【０００１】
この発明は、植物を栽培するための、植物栽培箱体、植物栽培セット、および植物栽培容器に関するものである。
【背景技術】
【０００２】
従来、植物を栽培するための底面給水プランターがあった（例えば、特許文献１参照）。この底面給水プランターは、図１３に示されるように、給水マット２１付の植物トレイ２２と、その植物トレイ２２を収容する貯水タンク２３とからなっていた。ここで、植物トレイ２２は、筒状のポケット２２ａを有するトレイ表板２２ｂと、底板２２ｃと、それらトレイ表板２２ｂと底板２２ｃとを繋ぐ脚足２２ｄ、２２ｄとからなっていた。そこで、底板２２ｃには、給水マット２１の中央部分が載せられ、給水マット２１の両側は、貯水タンク２３の下部に垂れ下がった。そして、植物を植えた鉢２４が、植物トレイ２２のポケット２２ａを通して、給水マット２１上に載置された。
【先行技術文献】
【特許文献】
【０００３】
【特許文献１】特開２００３−９６８７号公報
【発明の概要】
【発明が解決しようとする課題】
【０００４】
ところで、前記従来の底面給水プランターにあっては、植物を栽培するための容器としての鉢２４や貯水タンク２３とは別に、植物トレイ２２を必要とし、その構造が複雑となっていた。また、鉢２４は、給水マット２１上に載置されるのみであったため、その給水マット２１から鉢２４内へ上昇する水の量を十分に確保することは困難であった。
【０００５】
この発明は、上記した従来の欠点を解決するためになされたものであり、その目的とするところは、簡単な構造で水を確実に容器内に供給することができ、これによって、植物を容易に栽培することができる、植物栽培箱体、植物栽培セット、および植物栽培容器を提供することにある。
【課題を解決するための手段】
【０００６】
この発明に係る植物栽培箱体、植物栽培セット、および植物栽培容器は、前記目的を達成するために、次の構成からなる。すなわち、
請求項１に記載の発明に係る植物栽培箱体は、植物を栽培すべく、用土が入れられる容器と、上方が開放して、前記容器を出し入れ可能に収容かつ支持し、前記容器との間に水が溜められる水収容部を有する箱と、前記水収容部の水を前記容器内の底面部分に供給する水供給手段とを備える。ここで、前記容器の底壁は、前記箱の底壁から離れた上方に位置して、前記両底壁間に、前記水収容部が形成される。そして、前記水供給手段は、前記容器の底壁の上に敷かれる吸水性を備えた保水シートと、前記水収容部と前記保水シートとに跨って前記水収容部の水を前記保水シートに導く吸水性を備えた導水材とからなる。
【０００７】
この植物栽培箱体によると、箱における容器との間の水収容部の水が、水供給手段により容器内の底面部分に供給される。すなわち、水収容部の水は、導水材を通って容器内の保水シートに導かれて、その保水シート上を拡散する。こうして、水は、容器内の底面部分に供給される。このように、水供給手段として、容器内に配備される保水シートと、導水材とを用いることで、水収容部の水を確実に容器内に供給することができる。そして、その容器内の底面部分の水は、容器に入った用土に吸い上げられて、植物に吸収される。こうして、水収容部に水を溜めておくことで、常時植物に水が供給され、植物への水やりが簡単となる。そして、この植物栽培箱体は、植物の栽培のための用土が入れられる容器と、上方が開放した箱と、容器の底壁の上に敷かれる保水シートと、水収容部と保水シートとに跨る導水材との、簡単な構造からなり、この簡単な構造で水を確実に容器内に供給することができ、これによって、植物を容易に栽培することができる。
【０００８】
また、請求項２に記載の発明に係る植物栽培箱体は、請求項１に記載の植物栽培箱体において、前記保水シートと前記導水材とは別部品からなる。
【０００９】
また、請求項３に記載の発明に係る植物栽培箱体は、請求項２に記載の植物栽培箱体において、前記容器の底壁には、前記導水材が挿通可能な通孔が複数設けられる。そして、前記導水材は、前記複数の通孔のうちの一つまたは二つ以上の選択された通孔に対応して設けられて、その選択された通孔を通って、前記水収容部と前記保水シートとを繋いでいる。こうして、導水材が挿通可能な複数の通孔を設けることで、通孔に対応した任意の位置に導水材を配備することができる。したがって、栽培する植物の種類とか使用する用土の種類に応じて、一つまたは二つ以上の通孔を選択して導水材を配備することで、必要な量の水分を適切に植物に与えることができる。
【００１０】
また、請求項４に記載の発明に係る植物栽培箱体は、請求項２に記載の植物栽培箱体において、前記容器の底壁には、前記導水材が挿通可能な通孔が設けられる。そして、前記導水材は、折り返されて、その折返し部分が前記水収容部に配置され、その折返し部分から延びる両中間部分が前記通孔を通るとともに前記保水シートを貫通し、両先端部分が前記保水シート上を互いに離れる方向に延びて配置されている。
【００１１】
また、請求項５に記載の発明に係る植物栽培箱体は、請求項１ないし４のいずれか１項に記載の植物栽培箱体において、前記保水シートが、前記容器の底壁の全体に渡って敷かれる。
【００１２】
また、請求項６に記載の発明に係る植物栽培箱体は、請求項１ないし５のいずれか１項に記載の植物栽培箱体において、前記箱は、前記水収容部の水の高さが、前記容器の底壁、あるいはその容器内の底面に達しない高さとなるように水位を調節する、水位調節手段を備える。
【００１３】
また、請求項７に記載の発明に係る植物栽培箱体は、請求項１ないし６のいずれか１項に記載の植物栽培箱体において、前記容器は、複数設けられ、それら複数の容器が、前記箱に横に並ぶように入れられる。
【００１４】
また、請求項８に記載の発明に係る植物栽培箱体は、請求項７に記載の植物栽培箱体において、前記箱には、前記容器を位置決めする位置決め部が設けられる。
【００１５】
また、請求項９に記載の発明に係る植物栽培セットは、請求項１ないし８のいずれか１項に記載の植物栽培箱体と、前記容器に入れられた用土と、その用土に植えられた植物とからなる。
【００１６】
また、請求項１０に記載の発明に係る植物栽培容器は、上方が開口した箱に出し入れ可能に収容される植物栽培容器であって、植物を栽培すべく、用土が入れられる容器と、前記箱における前記容器との間の、水が溜められる水収容部の水を、前記容器内の底面部分に供給する水供給手段とからなる。そして、この水供給手段は、前記容器の底壁の上に敷かれる吸水性を備えた保水シートと、前記水収容部と前記保水シートとに跨って前記水収容部の水を前記保水シートに導く吸水性を備えた導水材とからなる。
【００１７】
この植物栽培容器によると、水収容部の水が、水供給手段により容器内の底面部分に供給される。すなわち、水収容部の水は、導水材を通って容器内の保水シートに導かれて、その保水シート上を拡散する。こうして、水は、容器内の底面部分に供給される。このように、水供給手段として、容器内に配備される保水シートと、導水材とを用いることで、水収容部の水を確実に容器内に供給することができる。そして、その容器内の底面部分の水は、容器に入った用土に吸い上げられて、植物に吸収される。こうして、水収容部に水を溜めておくことで、常時植物に水が供給され、植物への水やりが簡単となる。そして、この植物栽培容器は、植物の栽培のための用土が入れられる容器と、容器の底壁の上に敷かれる保水シートと、水収容部と保水シートとに跨る導水材との、簡単な構造からなり、この簡単な構造で水を確実に容器内に供給することができ、これによって、植物を容易に栽培することができる。
【発明の効果】
【００１８】
この発明に係る植物栽培箱体、および植物栽培セットによれば、植物栽培箱体が、植物の栽培のための用土が入れられる容器と、上方が開放した箱と、容器の底壁の上に敷かれる保水シートと、水収容部と保水シートとに跨る導水材との、簡単な構造からなり、この簡単な構造で水を確実に容器内に供給することができ、これによって、植物を容易に栽培することができる。
【００１９】
また、植物栽培容器によれば、この植物栽培容器は、植物の栽培のための用土が入れられる容器と、容器の底壁の上に敷かれる保水シートと、水収容部と保水シートとに跨る導水材との、簡単な構造からなり、この簡単な構造で水を確実に容器内に供給することができ、これによって、植物を容易に栽培することができる。
【図面の簡単な説明】
【００２０】
【図１】この発明の一実施の形態の、植物栽培セットの縦断面図である。
【図２】同じく、植物栽培箱体の縦断面図である。
【図３】同じく、植物栽培箱体の平面図である。
【図４】同じく、植物栽培容器を箱に入れる前の斜視図である。
【図５】同じく、容器の底面図である。
【図６】容器の変形例を示す底面図である。
【図７】この発明の他の実施の形態の、植物栽培箱体の縦断面図である。
【図８】同じく、植物栽培容器を箱に入れる前の斜視図である。
【図９】この発明のさらに他の実施の形態の、植物栽培箱体の縦断面図である。
【図１０】複数の容器を用いる場合の、植物栽培箱体の斜視図である。
【図１１】同じく、平断面図である。
【図１２】複数の容器を用いる場合の他の例を示す、植物栽培箱体の斜視図である。
【図１３】従来の底面給水プランターを示す縦断面図である。
【発明を実施するための形態】
【００２１】
以下、この発明に係る植物栽培箱体、植物栽培セットおよび植物栽培容器を実施するための形態を図面に基づいて説明する。
【００２２】
図１〜図５は、本発明の一実施の形態を示す。図中符号１は、植物である。２は、用土である。３は、前記植物１を栽培すべく、前記用土２が入れられる容器である。４は、上方が開口する箱であって、前記容器３を出し入れ可能に収容かつ支持し、前記容器３との間に水５が溜められる水収容部４ａを有する。６は、前記水収容部４ａの水５を前記容器３内の底面部分に供給する水供給手段である。７は、植物栽培箱体であって、前記容器３と前記箱４と前記水供給手段６とを備える。８は、植物栽培セットであって、前記植物栽培箱体７と、前記容器３に入れられた用土２と、その用土２に植えられた植物１とからなる。
【００２３】
ここで、容器３の底壁３ａは、箱４の底壁４ｂから離れた上方に位置して、これら両底壁３ａ、４ｂ間に、前記水収容部４ａが形成される。そして、水供給手段６は、容器３の底壁３ａの上に敷かれる吸水性を備えた保水シート９と、水収容部４ａと保水シート９とに跨って水収容部４ａの水５を保水シート９に導く吸水性を備えた導水材１０とからなる。そして、図示実施の形態においては、保水シート９と導水材１０とは別部材からなる。なお、図中符号１１は、上方が開口した箱４に出し入れ可能に収容される植物栽培容器であって、前記容器３とこの水供給手段６とからなる。
【００２４】
具体的には、容器３は、底壁３ａから下方に突出し、かつ、箱４の底壁４ｂに当接する、脚３ｂ、３ｂを有し、この脚３ｂ、３ｂによって、底壁３ａは、箱４の底壁４ｂから離れた上方に位置する。この容器３は、上方が開放した直方体形状に形成されて、前記脚３ｂが四隅に設けられている。この脚３ｂは、容器３のコーナー部分において、両側面に沿って断面Ｌ字形状となって下方に延びて形成さる。そして、この容器３の底壁３ａの上に、前記保水シート９が敷かれる。特に、図示実施の形態においては、保水シート９は、底壁３ａに直に敷かれ、かつ、その底壁３ａの全体に渡って敷かれる。
【００２５】
また、この容器３の底壁３ａには、導水材１０が挿通可能な通孔３ｃが設けられている。ここにおいて、導水材１０は、折り返されて、その折返し部分１０ａが水収容部４ａに配置され、その折返し部分１０ａから延びる両中間部分１０ｂ、１０ｂが通孔３ｃを通るとともに保水シート９を貫通し、両先端部分１０ｃ、１０ｃが保水シート９上を互いに離れる方向に延びて配置されている。ここで、前記通孔３ｃは、複数（図示実施の形態においては、十個）設けられ、導水材１０は、複数の通孔３ｃ、３ｃのうちの一つまたは二つ以上（図示実施の形態においては、四つ）の選択された通孔３ｃに対応して設けられて、その選択された通孔３ｃを通って、水収容部４ａと保水シート９とを繋いでいる。また、導水材１０は、帯状形状をしており、通孔３ｃは、導水材１０に対応するように、長孔形状、例えば１５ｍｍ×８ｍｍの長手の長方形形状をしている。なお、保水シート９とか導水材１０は、例えば不織布からなり、吸水性とか、拡散性とか、保水性を備える。そして、図示を省略するが、保水シート９の下面には、合成樹脂からなる断根シートが張られている。
【００２６】
箱４は、上方が開放した直方体形状の箱からなる。図示実施の形態においては、この箱４には、箱４内に水を注水するための、通水部１２が設けられている。この通水部１２は、筒状に形成されており、縦に延びる通水部本体１２ａと、その通水部本体１２ａの下部と箱４の下部とを繋ぐ連接部１２ｂとからなる。そして、この通水部本体１２ａの上端部分が、水を入れる注水口１２ｃとなっている。また、この通水部１２には、水位調節手段が付設されている。すなわち、通水部本体１２ａと連接部１２ｂとの境界部分の内部には、フロート１３が設けられており、このフロート１３が、箱４内での水収容部４ａの水５の高さに合わせて上下動する。そして、フロート１３が、上部位置に達すると、通水部本体１２ａ内の流路を塞ぎ、これによって、箱４内への水５の進入が止まり、その箱４内における水収容部４ａの水５の高さが一定値以下に制限される。つまり、前記水位調節手段は、水収容部４ａの水５の高さが一定値に達したときに、通水部１２（詳細には、通水部本体１２ａ）における流路を塞ぐフロート１３からなる。図示実施の形態においては、前記水位調節手段は、水収容部４ａの水５の高さが、前記容器３の底壁３ａ、あるいは容器３内の底面に達しない高さとなるように水位を調節する。
【００２７】
次に、以上の構成からなる植物栽培箱体７を含む植物栽培セット８の作用効果について説明する。この植物栽培セット８にあっては、箱４における容器３との間の水収容部４ａの水５が、水供給手段６により容器３内の底面部分に供給される。すなわち、水収容部４ａの水５は、導水材１０を通って容器３内の保水シート９に導かれて、その保水シート９上を拡散する。こうして、水５は、容器３内の底面部分に供給される。このように、水供給手段６として、容器３内に配備される保水シート９と、導水材１０とを用いることで、水収容部４ａの水５を確実に容器３内に供給することができる。そして、その容器３内の底面部分の水（つまり保水シート９に含まれる水）は、容器３に入った用土２（つまり、容器３内において保水シート９と接触する用土２）にスムーズに吸い上げられて、植物１に吸収される。こうして、水収容部４ａに水５を溜めておくことで、常時植物１に水が供給され、植物１への水やりが簡単となり、水やりの管理を簡略化できる。そして、植物栽培セット８を構成する植物栽培箱体７は、植物１の栽培のための用土２が入れられる容器３と、上方が開放した箱４と、水供給手段６（つまり、容器３の底壁３ａの上に敷かれる前記保水シート９と、水収容部４ａと保水シート９とに跨る前記導水材１０）との、簡単な構造からなり、この簡単な構造で水５を確実に容器３内に供給することができ、これによって、植物１を容易に栽培することができる。
【００２８】
また、植物栽培容器１１にあっては、この植物栽培容器１１は、植物１の栽培のための用土２が入れられる容器３と、水供給手段６（つまり、容器３の底壁３ａの上に敷かれる前記保水シート９と、水収容部４ａと保水シート９とに跨る前記導水材１０）との、簡単な構造からなり、この簡単な構造で水５を確実に容器３内に供給することができ、これによって、植物１を容易に栽培することができる。
【００２９】
また、保水シート９を容器３の底壁３ａの全体に渡って敷くことで、容器３内の用土２の全体に水を供給することができる。また、容器３の底壁３ａに、導水材１０が挿通可能な複数の通孔３ｃ、３ｃを設けることで、通孔３ｃに対応した任意の位置に導水材１０を配備することができる。したがって、栽培する植物１の種類とか使用する用土２の種類に応じて、一つまたは二つ以上の通孔３ｃを選択して導水材１０を配備することで、必要な量の水を適切に植物に与えることができる。
【００３０】
なお、本発明は、上述した実施の形態に限定されるわけではなく、その他種々の変更が可能である。例えば、容器３の形状は、直方体形状でなくとも、図６に示すように、円柱形状であってもよく、また、六角柱等の角柱形状等、その他の形状であってもよい。
【００３１】
また、容器３には脚３ｂが設けられ、その脚３ｂによって、容器３の底壁３ａと箱４の底壁４ｂとの間に水収容部４ａが形成されるが、図７および図８に示すように、容器３の上端部分に鍔部３ｉを設け、その鍔部３ｉを箱４の上端部分に載せることで、容器３の底壁３ａと箱４の底壁４ｂとの間に水収容部４ａを形成するようにしてもよい。また、箱４の底壁４ｂに上方に突出する突出部を形成し、その突出部に容器３を載せることで、容器３の底壁３ａと箱４の底壁４ｂとの間に水収容部４ａを形成するようにしてもよい。
【００３２】
また、図７に示すように、容器３に明けられる通孔３ｃは、一つであってもよく、また、導水材１０は、一方側１０ｅが保水シート９に接するように配置され、他方側１０ｆが、容器３の底壁３ａに形成された通孔３ｃを通って水収容部４ａに達していてもよい。
【００３３】
また、容器３に明けられる通孔３ｃとして、図９に示すように、第１の通孔３０１と第２の通孔３０２とが設けられてもよい。ここにおいて、前記導水材１０は、中間部分１０ｄが、底壁３ａに敷かれた保水シート９の上面に配置され、一方側１０ｅが第１の通孔３０１を通って水収容部４ａに達し、他方側１０ｆが第２の通孔３０２を通って水収容部４ａに達するように配置される。詳細には、第１の通孔３０１と第２の通孔３０２は、容器３の底壁３ａに設けられる。そして、導水材１０は、例えば帯状に形成されて、前記一方側１０ｅが保水シート９を貫通するとともに第１の通孔３０１を通って水収容部４ａに達し、前記他方側１０ｆが保水シート９を貫通するとともに第２の通孔３０２を通って水収容部４ａに達する。
【００３４】
また、保水シート９は、容器３の底壁３ａの全体に渡って敷かれるのが望ましいが、全体に渡ることなく底壁３ａの一部に敷かれてもよい。
【００３５】
また、以上の実施の形態においては、一つの箱４に対して、一つの容器３が収容されたが、容器３が複数設けられ、それら複数の容器３、３が、箱４に、横に並ぶように入れられてもよい。そして、この場合には、箱４には、容器３を位置決めする位置決め部４ｘが設けられるのが望ましい。このように、一つの箱４に複数の容器３、３が収容される場合には、箱４内の容器３ごとに植物１の種類を変えることができる。また、箱４の大きさを変更することにより、大きな作付面積でも、小さな作付面積でも対応させることができる。そして、小さな作付面積であれば、住宅内での栽培も可能となる。
【００３６】
この実施の形態の例を、図１０および図１１、そして図１２に示す。図１０および図１１に示す例では、容器３として、第一の実施の形態における容器が用いられ、この容器３の脚３ｂが、箱４の底壁４ｂに設けられた位置決め部４ｘとしての位置決め凸部４ｃに係合し、これによって、容器３は、箱４内の所定の位置に位置決めされる。また、図１２に示す例では、容器３は、脚を有せず、したがって、その底壁が、箱４の底壁４ｂから上方に突出する突出部４ｄに設けられた位置決め部４ｘとしての位置決め凹部４ｅと係合することで、容器３は、箱４内の所定の位置に位置決めされる。
【符号の説明】
【００３７】
１  植物
２  用土
３  容器
３ａ  底壁
３ｃ  通孔
４  箱
４ａ  水収容部
４ｂ  底壁
４ｘ  位置決め部
５  水
６  水供給手段
７  植物栽培箱体
８  植物栽培セット
９  保水シート
１０  導水材
１０ａ  折返し部分
１０ｂ  中間部分
１０ｃ  先端部分
１１  植物栽培容器
１３  フロート（水位調節手段）
【図１】
2010158224.tif 000003
【図２】
2010158224.tif 000004
【図３】
2010158224.tif 000005
【図４】
2010158224.tif 000006
【図５】
2010158224.tif 000007
【図６】
2010158224.tif 000008
【図７】
2010158224.tif 000009
【図８】
2010158224.tif 000010
【図９】
2010158224.tif 000011
【図１０】
2010158224.tif 000012
【図１１】
2010158224.tif 000013
【図１２】
2010158224.tif 000014
【図１３】
2010158224.tif 000015